(57)【要約】【課題】複数の映像表示装置毎に自動切替表示を行う際に、監視員が監視しやすい映像を表示させることのできる映像切替装置を得る。【解決手段】コマンド集約サーバ３は、映像受信装置１ａ〜１ｎに対して映像信号の自動切替コマンドを受けると、映像受信装置１ａ〜１ｎに対して、共通のタイマ間隔で複数の映像信号の切替を行うよう映像切替コマンドを送出する。これにより、複数の映像受信装置１ａ〜１ｎはコマンド集約サーバ３からの映像切替コマンドに基づいて、共通のタイマ間隔で複数の映像信号を切り替えて複数の映像表示装置２ａ〜２ｎに出力する。【選択図】図１
2007251798.tif 000002
【特許請求の範囲】
【請求項１】
与えられる映像切替コマンドに基づいて、それぞれが入力される複数の映像信号を切り替えて出力する複数の映像受信装置と、
前記複数の映像受信装置から出力された映像信号をそれぞれ表示する複数の映像表示装置と、
前記映像受信装置に対する所定の時間間隔で順次映像を切り替える自動切替コマンドを受けた場合、当該映像受信装置に対して、前記複数の映像表示装置に共通のタイマ間隔で前記複数の映像信号の切替を行うよう前記映像切替コマンドを送出するコマンド集約サーバとを備えた映像切替装置。
【請求項２】
コマンド集約サーバは、自動切替コマンドを受けた場合、内部タイマがタイムアウトするタイミングで複数の映像信号の切替を行うよう映像切替コマンドを送出することを特徴とする請求項１記載の映像切替装置。
【請求項３】
コマンド集約サーバは、自動切替コマンドを受けた場合、当該自動切替コマンドを受けたタイミングで１回目の映像切替コマンドを送出し、以降は、内部タイマがタイムアウトするタイミングで複数の映像信号の切替を行うよう映像切替コマンドを送出することを特徴とする請求項１記載の映像切替装置。
【請求項４】
コマンド集約サーバは、自動切替コマンドを受けた場合、当該自動切替コマンドを受けたタイミングで１回目の映像切替コマンドを送出し、以降は、内部タイマがタイムアウトするタイミングまでのずれを徐々に小さくし、最終的には前記内部タイマがタイムアウトするタイミングで複数の映像信号の切替を行うよう映像切替コマンドを送出することを特徴とする請求項１記載の映像切替装置。
【請求項５】
コマンド集約サーバは、複数の映像受信装置に対するそれぞれの切替間隔が異なる自動切替コマンドを受けた場合、タイマ間隔を前記複数の切替間隔の公約数とし、当該複数の切替間隔を任意の回数のタイマ間隔で複数の映像信号の切替を行うよう映像切替コマンドを送出することを特徴とする請求項１記載の映像切替装置。
【請求項６】
コマンド集約サーバは、一方の映像受信装置に対してＭ個の映像を周期Ｔで切り替える自動切替コマンドを受け、他方の映像受信装置に対してＮ（但し、Ｍ＞Ｎ）個の映像を周期Ｔで切り替える自動切替コマンドを受けた場合、タイマ間隔をＴ／Ｍに設定して、当該タイマ間隔で複数の映像信号の切替を行うよう、前記一方および他方の映像受信装置への映像切替コマンドを送出すると共に、前記他方の映像受信装置のＮ個のうち、Ｓ個の調整用映像表示期間を挿入し、その時間間隔を、
（Ｍ−Ｎ＋Ｓ）Ｔ／（Ｓ×Ｍ）（但し、Ｓ＜Ｎかつ、Ｓは（Ｍ−Ｎ）の約数）
とすることを特徴とする請求項１記載の映像切替装置。
【発明の詳細な説明】
【技術分野】
【０００１】
この発明は、例えば監視システムに用いられ、それぞれが複数の映像信号を入力する複数の映像受信装置が、映像信号を切り替えて複数の映像表示装置に送出する場合の切替タイミングを制御する映像切替装置に関するものである。
【背景技術】
【０００２】
複数台の映像受信装置および映像表示装置を有する監視システムにおいては、例えば、特許文献１に示されるように、映像表示装置は、映像の出力元である映像受信装置を選択することにより、表示する映像を切り替える。
【０００３】
ところで、このような映像表示装置において、映像切替を操作員が逐一行うのではなく、一定時間毎に定期的に切り替わる自動切替モードが存在する。映像を監視する操作員が、操作端末を用いて自動切替モードに変更すると、映像受信装置は、予め設定された自動切替処理により、映像表示装置に配信する映像を一定時間間隔で切り替える。
【０００４】
【特許文献１】特開平９−６５２０５号公報
【発明の開示】
【発明が解決しようとする課題】
【０００５】
上記のような従来の映像切替装置では、それぞれの映像受信装置は、切替が指示されたタイミングで自動切替を開始し、その後、映像表示装置毎に指示された一定時間間隔で映像切替を行う。そのため、映像表示装置間の切替タイミングが揃っておらず、操作員が複数の映像表示装置の監視を行う際に非常に見づらいという問題があった。
【０００６】
この発明は上記のような課題を解決するためになされたもので、複数の映像表示装置毎に自動切替表示を行う際に、監視員が監視しやすい映像を表示させることのできる映像切替装置を得ることを目的とする。
【課題を解決するための手段】
【０００７】
この発明に係る映像切替装置は、与えられる映像切替コマンドに基づいて、それぞれが入力される複数の映像信号を切り替えて出力する複数の映像受信装置と、複数の映像受信装置から出力された映像信号をそれぞれ表示する複数の映像表示装置と、映像受信装置に対する所定の時間間隔で順次映像を切り替える自動切替コマンドを受けた場合、映像受信装置に対して、複数の映像表示装置に共通のタイマ間隔で複数の映像信号の切替を行うよう映像切替コマンドを送出するコマンド集約サーバとを備えたものである。
【発明の効果】
【０００８】
この発明の映像切替装置は、コマンド集約サーバが、複数の映像表示装置に対して共通のタイマ間隔で複数の映像信号の切替を行うよう映像切替コマンドを送出するようにしたので、複数の映像表示装置毎に自動切替表示を行う際に、監視員が監視しやすい映像を表示させることができる。
【発明を実施するための最良の形態】
【０００９】
実施の形態１．
図１は、この発明の実施の形態１による映像切替装置を示す構成図である。
図において、映像切替装置は、複数の映像受信装置１ａ〜１ｎ、複数の映像表示装置２ａ〜２ｎ、コマンド集約サーバ３、複数の操作端末４ａ〜４ｌを備えている。尚、後述する各実施の形態においても、映像切替装置の図面上の構成は同様であるため、以降の実施の形態でも図１を援用して説明する。
【００１０】
映像受信装置１ａ〜１ｎは、複数の映像信号５ａ〜５ｍを入力し、コマンド集約サーバ３からの映像切替コマンドに基づいて、複数の映像信号５ａ〜５ｍからいずれかの映像信号を選択し、映像表示装置３ａ〜３ｎへ映像を配信する装置である。映像表示装置２ａ〜２ｎは、映像受信装置１ａ〜１ｎから配信される映像を表示する装置である。コマンド集約サーバ３は、図示しない内部タイマを有し、操作端末４ａ〜４ｌから送出された、それぞれの映像受信装置１ａ〜１ｎで所定の時間間隔で出力する映像を切り替える自動切替コマンドを受信すると、指定された映像受信装置１ａ〜１ｎに対して、共通のタイマ間隔で複数の映像信号の切替を行うよう映像切替コマンドを送出する機能を有するものである。操作端末４ａ〜４ｌは、種々の操作を行うための入力を行うと共に、自動切替コマンドを送出するための端末である。
【００１１】
尚、自動切替コマンドとは、操作端末４ａ〜４ｌがコマンド集約サーバ３に対して、映像切替を行う映像受信装置１ａ〜１ｎ、切替順序、切替間隔を指示するコマンドであり、また、映像切替コマンドは、コマンド集約サーバ３が、映像受信装置１ａ〜１ｎに配信する映像を指示するコマンドである。
【００１２】
また、図１の構成では、映像受信装置１ａ〜１ｎと映像表示装置２ａ〜２ｎとが一対一に接続されているが、例えば、１台の映像受信装置から複数台の映像表示装置に映像信号を出力する形態であってもよい。また、操作端末４ａ〜４ｌを映像表示装置２ａ〜２ｎと同一場所に設置し、映像表示装置２ａ〜２ｎの監視員が操作端末４ａ〜４ｌを操作してもよいし、操作端末４ａ〜４ｌを映像表示装置２ａ〜２ｎとは別の場所に設置し、別の操作員が入力するようにしてもよい。更に、それぞれの映像受信装置１ａ〜１ｎには複数の同一の映像信号５ａ〜５ｍが入力される形態としているが、それぞれの映像受信装置１ａ〜１ｎに異なる複数の映像信号が入力される形態であってもよい。
【００１３】
即ち、本実施の形態では、複数の映像受信装置１ａ〜１ｎから複数の映像表示装置２ａ〜２ｎに、それぞれの映像受信装置１ａ〜１ｎが複数の映像信号を切り替えて出力するものであれば、映像表示装置２ａ〜２ｎや操作端末４ａ〜４ｌの設置場所および台数はどのような形態であっても適用可能である。
【００１４】
次に、実施の形態１の動作について説明する。
尚、本発明では、映像信号５ａ〜５ｍの手動切替の動作については従来と同様であるため、その説明は省略し、自動切替動作についてのみ説明する。
図２は、実施の形態１における映像切替のタイミングを示す説明図である。
図の横軸は時間を表しており、コマンド集約サーバ３からのパルスは内部タイマがタイムアウトしていることを表している。以降、コマンド集約サーバ３において、内部タイマがタイムアウトする間隔をタイマ間隔とする。また、操作端末４ａ，４ｂからコマンド集約サーバ３まで下に伸びている点線矢印は自動切替コマンドの送信を表し、コマンド集約サーバ３から映像受信装置１ａ，１ｂまで下に伸びている点線矢印は映像切替コマンドの送信を表している。また、操作端末４ａからの自動切替コマンドは映像受信装置１ａに対して送出され、操作端末４ｂからの自動切替コマンドは映像受信装置１ｂに対して送出されたものであるとする。
【００１５】
操作端末４ａから映像受信装置１ａへの自動切替コマンドが送信されると、コマンド集約サーバ３はコマンドを受信した次の内部タイマ間隔で映像受信装置１ａの映像切替を行うよう映像切替コマンドを送出する。以降、内部タイマ間隔で指定された切替順序で映像受信装置１ａの映像切替を行うよう映像切替コマンドを送出する。同様に、操作端末４ｂから映像受信装置１ｂの自動切替コマンドが送信されると、コマンド集約サーバ３は内部タイマ間隔に同期して映像切替を行うよう映像切替コマンドを送出する。このため、操作端末４ａ，４ｂからどのようなタイミングで自動切替コマンドが送出されたとしても、映像受信装置１ａ，１ｂへの映像切替コマンドはコマンド集約サーバ３の内部タイマ間隔で同期して送出される。その結果、複数の映像表示装置２ａ，２ｂに表示される映像の切替タイミングは同期して行われる。
【００１６】
尚、上記の説明では、映像受信装置１ａへの自動切替コマンドを操作端末４ａが、映像受信装置１ｂへの自動切替コマンドを操作端末４ｂが送出する場合を説明したが、例えば、１台の操作端末４ａで複数の映像受信装置１ａ，１ｂへの自動切替コマンドを送出するようにしてもよい。
【００１７】
以上のように、実施の形態１の映像切替装置によれば、与えられる映像切替コマンドに基づいて、それぞれが入力される複数の映像信号を切り替えて出力する複数の映像受信装置と、複数の映像受信装置から出力された映像信号をそれぞれ表示する複数の映像表示装置と、映像受信装置に対する所定の時間間隔で順次映像を切り替える自動切替コマンドを受けた場合、映像受信装置に対して、複数の映像表示装置に共通のタイマ間隔で複数の映像信号の切替を行うよう映像切替コマンドを送出するコマンド集約サーバとを備えたので、複数の映像切替によるタイミングのずれを解消することができ、従って、複数の映像表示装置毎に自動切替表示を行う際に、監視員が監視しやすい映像を表示させることができる。
【００１８】
また、実施の形態１の映像切替装置によれば、コマンド集約サーバは、自動切替コマンドを受けた場合、内部タイマがタイムアウトするタイミングで複数の映像信号の切替を行うよう映像切替コマンドを送出するようにしたので、より確実に複数の映像切替コマンドの出力タイミングを合わせることができる。
【００１９】
実施の形態２．
実施の形態２におけるコマンド集約サーバ３は、操作端末４ａ〜４ｌから自動切替コマンドを受け取った場合、そのタイミングで映像受信装置１ａ〜１ｎに対し、第１回目の映像切替コマンドを送出するよう構成されている。その他の構成は実施の形態１と同様である。
【００２０】
図３は、実施の形態２における映像切替のタイミングを示す説明図である。
操作端末４ａから映像受信装置１ａの自動切替コマンドが送信されると、コマンド集約サーバ３は、自動切替コマンドを受信したタイミングで一回目の映像切替コマンドを送出する。そして、以降、コマンド集約サーバ３は、内部タイマ間隔で映像切替コマンドを送出する。同様に、操作端末４ｂから映像受信装置１ｂへの自動切替コマンドが送信されると、コマンド集約サーバ３は、一回目の映像切替のみ、自動切替コマンドを受信したタイミングで映像切替コマンドを送出する。以降は内部タイマ間隔に同期して複数の映像信号の切替を行うよう映像切替コマンドを送出する。尚、この実施の形態２においても、それぞれの映像受信装置１ａ，１ｂへの自動切替コマンドは１台の操作端末から送出するような形態であってもよい。
【００２１】
以上のように、実施の形態２の映像切替装置によれば、コマンド集約サーバは、自動切替コマンドを受けた場合、自動切替コマンドを受けたタイミングで１回目の映像切替コマンドを送出し、以降は、内部タイマがタイムアウトするタイミングで複数の映像信号の切替を行うよう映像切替コマンドを送出するようにしたので、コマンド集約サーバは、受け取った自動切替コマンドに即座に対応するため、操作性を維持できる。また、初回以降の映像切替はコマンド集約サーバが有するタイマ間隔で行うため、複数の映像切替によるタイミングのずれを解消することができる。
【００２２】
実施の形態３．
実施の形態３におけるコマンド集約サーバ３は、いずれかの操作端末４ａ〜４ｌから自動切替コマンドを受けた場合、その自動切替コマンドを受けたタイミングで１回目の映像切替コマンドを該当する映像受信装置１ａ〜１ｎに送出し、以降は、内部タイマがタイムアウトするタイミングまでのずれを徐々に小さくし、最終的には内部タイマがタイムアウトするタイミングで映像切替コマンドを送出するよう構成されている。その他の構成は実施の形態２と同様である。
【００２３】
図４は、実施の形態３における映像切替のタイミングを示す説明図である。
ここで、Ｇn（ｎ＝０，１，２，…）は、コマンド受信後ｎ回目の映像切替タイミングとタイマ間隔とのずれの大きさを表し、Ｔnはコマンド受信後ｎ回目のタイマがタイムアウトした時刻を表す。尚、図４では、１台の映像受信装置１ａへの処理のみ示しているが、他の映像受信装置１ｂ〜１ｎについても同様である。
【００２４】
また、図５は、横軸にＴ、縦軸をＧとした場合のずれの変化を示す図である。
操作端末４ａから映像受信装置１ａへの自動切替コマンドが送信されると、コマンド集約サーバ３は、自動切替コマンドを受信したタイミングで一回目の映像切替コマンドを送出する。これ以降は、Ｇn＝−Ｔn／ａ＋Ｇ0（ａは任意の定数）から求めた間隔で映像切替コマンドを送出し、最終的にはコマンド集約サーバ３のタイマ間隔で映像切替コマンドが送出される。尚、ここで、Ｇを求める関数は指数関数を用いてもよい。
【００２５】
このような処理を行うことにより、例えば、コマンド集約サーバ３が自動切替コマンドを受信した直後にタイマがタイムアウトした場合でも、そのタイムアウトしたタイミングで映像切替コマンドを送出すると一つ目の映像を表示する間隔が非常に短くなってしまうが、実施の形態３では、映像切替とタイマ間隔とのずれを徐々に小さくしているため、一つ目の映像を表示する間隔を確保することができる。
【００２６】
以上のように、実施の形態３の映像切替装置によれば、コマンド集約サーバは、自動切替コマンドを受けた場合、自動切替コマンドを受けたタイミングで１回目の映像切替コマンドを送出し、以降は、内部タイマがタイムアウトするタイミングまでのずれを徐々に小さくし、最終的には内部タイマがタイムアウトするタイミングで複数の映像信号の切替を行うよう映像切替コマンドを送出するようにしたので、複数の映像切替によるタイミングのずれを解消することができると共に、映像切替後の映像表示時間を確保することができる。
【００２７】
実施の形態４．
実施の形態４におけるコマンド集約サーバ３は、いずれかの操作端末４ａ〜４ｌから複数の映像受信装置１ａ〜１ｎに対するそれぞれの切替間隔が異なる自動切替コマンドを受けた場合、タイマ間隔を複数の切替間隔の公約数とし、これら複数の切替間隔を任意の回数のタイマ間隔で映像切替コマンドを送出するよう構成されている。これ以外の構成は実施の形態１と同様である。
【００２８】
図６は、実施の形態４における映像切替のタイミングを示す説明図である。
図６では、操作端末４ａがある時間周期で切替を指示し、操作端末４ｂがその２倍の時間周期で切替を指示している様子を示している。
このように、複数の映像受信装置１ａ〜１ｎに対して切替間隔が異なる自動切替コマンドを受けた場合、コマンド集約サーバ３は、タイマ間隔を切替間隔時間の最大公約数にする。そして、映像受信装置１ａに対してはタイマ間隔で映像切替コマンドを送出し、映像受信装置１ｂに対しては、タイマが２回タイムアウトするタイミングで映像切替コマンドを送出する。
【００２９】
次に、このような状態で、更に他の映像受信装置に対して異なる時間間隔の自動切替コマンドが送出された場合を説明する。
図７は、３台の映像受信装置に対してそれぞれ異なる時間間隔の自動切替が指示された場合の切替タイミングを示す説明図である。この図７は、図６に示す状態に加えて、操作端末４ｃが操作端末４ａの１／２の時間間隔で映像受信装置１ｃに自動切替開始を指示した場合を示している。
【００３０】
このような場合、コマンド集約サーバ３は、タイマ間隔を今までの１／２に変更し、映像受信装置１ａにはタイマが２回タイムアウトするタイミングで映像切替コマンドを送出し、映像受信装置１ｂにはタイマが４回タイムアウトするタイミングで映像切替コマンドを送出する。そして、映像受信装置１ｃにはタイマが１回タイムアウトする毎に映像切替コマンドを送出する。
【００３１】
尚、実施の形態４では、コマンド集約サーバ３が映像受信装置１ａ〜１ｎに対して第１回目の映像切替コマンドを送出するタイミングを、実施の形態２と同様に、操作端末４ａ〜４ｌから自動切替コマンドを受信したタイミングとしたが、実施の形態１や実施の形態３のような動作を行うようにしてもよい。また、この実施の形態４においても、３台の映像受信装置１ａ〜１ｃへの切替指示を１台の操作端末あるいは２台の操作端末で行うようにしてもよい。更に、上記の例ではタイマ間隔を複数の切替間隔の最大公約数としたが、これら複数の切替間隔の公約数であれば同様の効果を得ることができる。
【００３２】
以上のように、実施の形態４の映像切替装置によれば、コマンド集約サーバは、複数の映像受信装置に対するそれぞれの切替間隔が異なる自動切替コマンドを受けた場合、タイマ間隔を複数の切替間隔の公約数とし、複数の切替間隔を任意の回数のタイマ間隔で複数の映像信号の切替を行うよう映像切替コマンドを送出するようにしたので、複数の映像切替によるタイミングのずれを解消することが出来ると共に、複数の切替間隔が異なる自動切替コマンドも一つのタイマで処理することができる。
【００３３】
実施の形態５．
監視システムにおいて、一定期間内に複数の映像を切り替えて監視したいという要求がある。例えばある映像表示装置ではＭ個の映像を周期Ｔで切り替え、別の映像表示装置ではＮ個の映像を周期Ｔで切り替える場合、一つの映像表示装置はＴ／Ｍ毎に映像が切り替わり、もう一方の映像表示装置はＴ／Ｎ毎に映像が切り替わることになる。そのような場合、その切替タイミングが異なることにより、映像監視が非常に見づらいものとなる。
【００３４】
実施の形態５では、上記のような問題に対処するため、より切替回数が多いものに一致したタイミングで映像を切り替えるようにし、切替回数の少ないものには調整用映像表示期間を所定の個数挿入するようにしたものである。即ち、実施の形態５におけるコマンド集約サーバ３は、一方の映像受信装置に対してＭ個の映像を周期Ｔで切り替える自動切替コマンドを受け、他方の映像受信装置に対してＮ（但し、Ｍ＞Ｎ）個の映像を周期Ｔで切り替える自動切替コマンドを受けた場合、タイマ間隔をＴ／Ｍに設定して、そのタイマ間隔で複数の映像信号の切替を行うよう、一方および他方の映像受信装置への映像切替コマンドを送出すると共に、他方の映像受信装置のＮ個のうち、Ｓ個の調整用映像表示期間を挿入し、その時間間隔を、（Ｍ−Ｎ＋Ｓ）Ｔ／（Ｓ×Ｍ）（但し、Ｓ＜Ｎかつ、Ｓは（Ｍ−Ｎ）の約数）とするようにしたものである。
【００３５】
尚、上記の「Ｓは（Ｍ−Ｎ）の約数」という条件は、調整用映像表示期間の時間間隔はタイマ間隔Ｔ／Ｍの倍数であるということから導かれた条件である。
【００３６】
図８は、調整用映像表示期間を一つ挿入した例の映像切替タイミングを示す説明図である。
ここでは、一方の映像受信装置としての映像受信装置１ａは一定期間に四つの映像を切り替え、他方の映像受信装置としての映像受信装置１ｂは三つの映像を切り替える場合を示している。即ち、Ｍ＝４、Ｎ＝３、Ｓ＝１の場合である。ここで、挿入個数Ｓは、Ｓ＜Ｎおよび（Ｍ−Ｎ）の約数、の条件を満たしているため、その調整用映像表示期間を求めると、Ｔ／２となる。従って、コマンド集約サーバ３は、タイマ間隔を切替回数が多い映像受信装置１ａの映像切替間隔に設定し、双方の映像受信装置１ａ、映像受信装置１ｂ共にタイマ間隔で映像切替を行う。そして、映像切替回数が少ない映像受信装置１ｂは、映像受信装置１ａが四つ目の映像に切り替えるタイミングでは映像切替を行わず、映像受信装置１ａが一つ目の映像に切り替えるタイミングで一つ目の映像に切り替えるよう映像切替コマンドを送出する。即ち、最後の調整用映像表示期間の時間間隔をＴ／２とする。
【００３７】
また、上記例は挿入個数Ｓが一つの場合であるが、一方の映像受信装置の表示個数Ｍや他方の映像受信装置の表示個数ＮおよびこれらＭ，Ｎの値と挿入個数Ｓとの関係が上記の条件を満たしていれば、挿入個数Ｓを複数とした場合であっても同様に適用可能である。
【００３８】
また、ここでは、切り替える映像の枚数が少ない場合には、最後の映像を表示するようにしているが、黒い映像や他の映像などを表示してもよい。また、特に、複数個の調整用映像表示期間を挿入した場合では、表示時間を長くしたい映像を調整用映像表示期間とする等、映像表示装置２ａ〜２ｎにおいて、表示される映像の重み付けを行うこともできる。
【００３９】
また、この実施の形態５においても、２台の映像受信装置１ａ，１ｂへの切替指示を１台の操作端末あるいは２台の操作端末で行うようにしてもよい。更に、実施の形態１〜３のいずれかと組み合わせてもよい。
【００４０】
以上のように、実施の形態５の映像切替装置によれば、コマンド集約サーバは、一方の映像受信装置に対してＭ個の映像を周期Ｔで切り替える自動切替コマンドを受け、他方の映像受信装置に対してＮ（但し、Ｍ＞Ｎ）個の映像を周期Ｔで切り替える自動切替コマンドを受けた場合、タイマ間隔をＴ／Ｍに設定して、タイマ間隔で複数の映像信号の切替を行うよう、一方および他方の映像受信装置への映像切替コマンドを送出すると共に、他方の映像受信装置のＮ個のうち、Ｓ個の調整用映像表示期間を挿入し、その時間間隔を、（Ｍ−Ｎ＋Ｓ）Ｔ／（Ｓ×Ｍ）（但し、Ｓ＜Ｎかつ、Ｓは（Ｍ−Ｎ）の約数）とするようにしたので、複数の映像受信装置に対して異なる切替間隔が与えられた場合でも、それぞれの映像受信装置から出力される映像信号を同期させることができる。
【００４１】
また、調整用映像表示期間の挿入個数を複数とすることにより、例えば、一方の映像受信装置の表示個数Ｍと他方の映像受信装置の表示個数Ｎの値が大きく異なっていた場合でも、ある映像のみが長時間表示される、といった違和感をなくすことができる。
【図面の簡単な説明】
【００４２】
【図１】この発明の映像切替装置を示す構成図である。
【図２】この発明の実施の形態１の動作を示す説明図である。
【図３】この発明の実施の形態２の動作を示す説明図である。
【図４】この発明の実施の形態３の動作を示す説明図である。
【図５】この発明の実施の形態３における時間とタイマ間隔とのずれとの関係を示す説明図である。
【図６】この発明の実施の形態４の動作（その１）を示す説明図である。
【図７】この発明の実施の形態４の動作（その２）を示す説明図である。
【図８】この発明の実施の形態５の動作を示す説明図である。
【符号の説明】
【００４３】
１ａ〜１ｎ  映像受信装置、２ａ〜２ｎ  映像表示装置、３  コマンド集約サーバ、５ａ〜５ｍ  映像信号。
【図１】
2007251798.tif 000003
【図２】
2007251798.tif 000004
【図３】
2007251798.tif 000005
【図４】
2007251798.tif 000006
【図５】
2007251798.tif 000007
【図６】
2007251798.tif 000008
【図７】
2007251798.tif 000009
【図８】
2007251798.tif 000010